(57)【要約】  【課題】  パーソナルコンピュータ等の要求装置から通信網を介してプリンタ等の出力装置へ出力データを送信し、出力装置にて出力データに基づく印刷を実行させるシステムにおいて、作業工数を増加させることなくイベントに関する書式を容易に統一する出力システム及び出力装置を提供する。  【解決手段】  出力装置１は、用紙サイズ、印刷色、両面印刷の要否、Ｎ−ｕｐ印刷の要否、ウォーターマークの要否、部数、有効期限等の印刷に関する書式を含む出力形式を示す形式情報を、会議、保管形式、報告書等のイベントを示す索引情報に対応付けて形式情報データベース１２ａに記録する。要求装置２を使用する使用者は、要求装置２から出力装置１へ出力データを送らせると共に、索引情報を指定し、出力装置１は、指定された索引情報により示される出力形式で出力データに基づく出力を実行する。【選択図】      図２
2006344058.tif 000002
【特許請求の範囲】
【請求項１】
出力データに基づく出力を要求する要求装置と、該要求装置からの要求に応じて出力データに基づく出力を実行する出力装置とを備える出力システムにおいて、
前記要求装置は、
出力データを前記出力装置へ送信する手段を備え、
前記出力装置は、
出力形式を示す形式情報を、索引情報に対応付けて記録する形式情報データベースと、
受信した出力データに対する索引情報の指定を受け付ける受付手段と、
受け付けた索引情報に対応する形式情報を形式情報データベースから抽出する形式抽出手段と、
抽出した形式情報にて示される出力形式で、出力データに基づく出力を実行する出力実行手段と
を備えることを特徴とする出力システム。
【請求項２】
前記出力データは、印刷データであり、
前記出力形式は、印刷に関する書式を含み、
前記出力実行手段は、形式情報にて示される書式で、印刷データに基づく印刷を実行する様に構成しており、
前記索引情報は、印刷物に関連するイベントを示す情報である
ことを特徴とする請求項１に記載の出力システム。
【請求項３】
前記出力装置は、
形式情報データベースから一又は複数の索引情報を抽出する索引抽出手段と、
抽出した索引情報を前記要求装置へ送信する手段と
を更に備え、
該要求装置は、
受信した索引情報を出力する手段と、
出力した索引情報の中から索引情報を指定する入力を受け付ける手段と、
指定を受け付けた索引情報を前記出力装置へ送信する手段と
を更に備え、
前記出力装置が備える受付手段は、前記要求装置から受信した索引情報を、指定された索引情報として受け付ける様に構成してある
ことを特徴とする請求項１又は請求項２に記載の出力システム。
【請求項４】
前記要求装置は、
指定を受け付けた索引情報に対応付けられている形式情報にて示される出力形式を変更する入力を受け付ける手段と、
受け付けた出力形式の変更の内容を示す変更情報を前記出力装置へ送信する手段と
を更に備え、
前記出力装置は、
前記形式抽出手段が抽出した形式情報にて示される出力形式を、変更情報にて示す変更の内容に変更する手段を更に備える
ことを特徴とする請求項３に記載の出力システム。
【請求項５】
前記形式情報データベースには、一の索引情報に対し、複数の形式情報が対応付けて記録されてあり、
各形式情報には、出力形式の変更の可否が設定されている
ことを特徴とする請求項４に記載の出力システム。
【請求項６】
前記要求装置は、
指定を受け付けた索引情報の履歴を記録する手段と、
受信した索引情報の出力順序を履歴に基づいて決定する手段と
を更に備えることを特徴とする請求項３乃至請求項５のいずれかひとつに記載の出力システム。
【請求項７】
前記出力装置は、
索引情報に関する検索条件を受け付ける手段を更に備え、
前記索引抽出手段は、検索条件に適合する索引情報を抽出する様に構成してある
ことを特徴とする請求項３乃至請求項６のいずれかに記載の出力システム。
【請求項８】
前記出力装置は、
形式情報データベースから一又は複数の索引情報を抽出する手段と、
抽出した索引情報を出力する手段と
を備え、
前記出力手段が備える受付手段は、出力した索引情報の中から索引情報を指定する入力を受け付ける様に構成している
ことを特徴とする請求項１又は請求項２に記載の出力システム。
【請求項９】
出力データに基づく出力を要求する要求装置と通信し、該要求装置からの要求に応じて出力データに基づく出力を実行する出力装置において、
出力形式を示す形式情報を、索引情報に対応付けて記録する形式情報データベースと、
前記要求装置から出力データを受信する手段と、
受信した出力データに対する索引情報の指定を受け付ける手段と、
受け付けた索引情報に対応する形式情報を形式情報データベースから抽出する手段と、
抽出した形式情報にて示される出力形式で、出力データに基づく出力を実行する手段と
を備えることを特徴とする出力装置。
【発明の詳細な説明】
【技術分野】
【０００１】
本発明は、出力データに基づく出力を要求するパーソナルコンピュータ等の要求装置と、該要求装置からの要求に応じて出力データに基づく出力を実行するプリンタ等の出力装置とを備える出力システム、及び該出力システムにて用いられる出力装置に関し、特に出力の目的に応じて出力形式を設定することが可能な出力システム及び出力装置に関する。
【背景技術】
【０００２】
コンピュータから、ＬＡＮ(Local Area Network)に接続されているネットワークプリンタへ印刷データを送信し、ネットワークプリンタにて印刷データに基づく印刷を実行させる印刷システムが普及している。例えば特許文献１の印刷システムでは、コンピュータ側にて実行されるプリンタドライバに、印刷データに基づく印刷の形式に関する条件を設定する機能が付加されている。
【特許文献１】特開２００１−７５７５８号公報
【発明の開示】
【発明が解決しようとする課題】
【０００３】
しかしながら例えば特許文献１に記載されている様な従来のシステムは、コンピュータを使用する個人が夫々形式を設定するため、例えば複数人が夫々印刷した書類を提出する会議等のイベントにおいては、提出される書類の書式が夫々異なるという様な状況が発生するという問題がある。またこの問題を解決するためには、イベントに関連する各人に形式についての通達を行い、各人が夫々通達された形式に従って設定を行わなければならないため全体としての作業工数が増加するという問題がある。
【０００４】
本発明は斯かる事情に鑑みてなされたものであり、プリンタ等の出力装置に、イベント等の索引情報に対応付けて、印刷形式等の出力形式を示す形式情報を記録しておき、指定された索引情報に対応する出力形式で出力を行うことにより、作業工数を増加させることなくイベントに関する書式を容易に統一することが可能な出力システム、及び該出力システムにて用いられる出力装置の提供を目的とする。
【課題を解決するための手段】
【０００５】
本発明に係る出力システムは、出力データに基づく出力を要求する要求装置と、該要求装置からの要求に応じて出力データに基づく出力を実行する出力装置とを備える出力システムにおいて、前記要求装置は、出力データを前記出力装置へ送信する手段を備え、前記出力装置は、出力形式を示す形式情報を、索引情報に対応付けて記録する形式情報データベースと、受信した出力データに対する索引情報の指定を受け付ける受付手段と、受け付けた索引情報に対応する形式情報を形式情報データベースから抽出する形式抽出手段と、抽出した形式情報にて示される出力形式で、出力データに基づく出力を実行する出力実行手段とを備えることを特徴とする。
【０００６】
本発明の出力システムでは、形式情報及び索引情報を対応付けて出力装置に記録しておき、指定された索引情報に対応する出力形式で、出力データに基づく出力を実行することにより、作業工数を増加させることなく書式を容易に統一することが可能である。
【０００７】
本発明に係る出力システムは、前記出力データは、印刷データであり、前記出力形式は、印刷に関する書式を含み、前記出力実行手段は、形式情報にて示される書式で、印刷データに基づく印刷を実行する様に構成しており、前記索引情報は、印刷物に関連するイベントを示す情報であることを特徴とする。
【０００８】
本発明の出力システムでは、会議、保管形式、報告書等のイベントを示す情報に関連付けて、用紙サイズ、印刷色、両面印刷の要否、Ｎ−ｕｐ印刷の要否、ウォーターマークの要否、部数、有効期限等の印刷に関する書式を含む形式を記録しておくことにより、イベントを指定するだけで、統一された書式に容易に設定することができるので作業性が向上する。しかも出力形式は、イベントに対応付けて記録されているため、使用者各人が書式の設定を行う必要が無いので、イベントに関する使用者各人の作業工数の増加を抑制するだけでなく、使用者各人に対して書式の通知をする必要も無くなるので、全体としての作業工数を低減することも可能である。
【０００９】
本発明の出力システムは、前記出力装置は、形式情報データベースから一又は複数の索引情報を抽出する索引抽出手段と、抽出した索引情報を前記要求装置へ送信する手段とを更に備え、該要求装置は、受信した索引情報を出力する手段と、出力した索引情報の中から索引情報を指定する入力を受け付ける手段と、指定を受け付けた索引情報を前記出力装置へ送信する手段とを更に備え、前記出力装置が備える受付手段は、前記要求装置から受信した索引情報を、指定された索引情報として受け付ける様に構成してあることを特徴とする。
【００１０】
本発明の出力システムでは、出力装置に記録されている索引情報の指定を要求装置側で行うことができるので利便性が高い。
【００１１】
本発明の出力システムは、前記要求装置は、指定を受け付けた索引情報に対応付けられている形式情報にて示される出力形式を変更する入力を受け付ける手段と、受け付けた出力形式の変更の内容を示す変更情報を前記出力装置へ送信する手段とを更に備え、前記出力装置は、前記形式抽出手段が抽出した形式情報にて示される出力形式を、変更情報にて示す変更の内容に変更する手段を更に備えることを特徴とする。
【００１２】
本発明の出力システムでは、必要に応じて出力形式を変更することができるので、柔軟な形式の設定が可能となる。
【００１３】
本発明の出力システムは、前記形式情報データベースには、一の索引情報に対し、複数の形式情報が対応付けて記録されてあり、各形式情報には、出力形式の変更の可否が設定されていることを特徴とする。
【００１４】
本発明の出力システムでは、柔軟な出力形式の設定が可能となる。
【００１５】
本発明の出力システムは、前記要求装置は、指定を受け付けた索引情報の履歴を記録する手段と、受信した索引情報の出力順序を履歴に基づいて決定する手段とを更に備えることを特徴とする。
【００１６】
本発明の出力システムでは、以前に指定した索引情報を指定する場合の操作性が向上する。
【００１７】
本発明の出力システムは、前記出力装置は、索引情報に関する検索条件を受け付ける手段を更に備え、前記索引抽出手段は、検索条件に適合する索引情報を抽出する様に構成してあることを特徴とする。
【００１８】
本発明の出力システムでは、複数の索引情報の中から所望の索引情報を容易に探索することが可能となる。
【００１９】
本発明の出力システムは、前記出力装置は、形式情報データベースから一又は複数の索引情報を抽出する手段と、抽出した索引情報を出力する手段とを備え、前記出力手段が備える受付手段は、出力した索引情報の中から索引情報を指定する入力を受け付ける様に構成していることを特徴とする。
【００２０】
本発明の出力システムでは、出力装置の操作性を高めることができる。
【００２１】
本発明の出力装置は、出力データに基づく出力を要求する要求装置と通信し、該要求装置からの要求に応じて出力データに基づく出力を実行する出力装置において、出力形式を示す形式情報を、索引情報に対応付けて記録する形式情報データベースと、前記要求装置から出力データを受信する手段と、受信した出力データに対する索引情報の指定を受け付ける手段と、受け付けた索引情報に対応する形式情報を形式情報データベースから抽出する手段と、抽出した形式情報にて示される出力形式で、出力データに基づく出力を実行する手段とを備えることを特徴とする。
【００２２】
本発明の出力装置では、形式情報及び索引情報を対応付けて記録しておき、指定された索引情報に対応する出力形式で、出力データに基づく出力を実行することにより、作業工数を増加させることなく書式を容易に統一することが可能である。
【発明の効果】
【００２３】
本発明の出力システム及び出力装置は、印刷データ等の出力データに基づく印刷等の出力を要求するパーソナルコンピュータ等の端末装置を用いた要求装置と、要求装置からの印刷要求等の要求に応じて出力データに基づく出力を実行するプリンタ等の出力装置とを用い、出力装置は、用紙サイズ、印刷色、両面印刷の要否、Ｎ−ｕｐ印刷の要否、ウォーターマークの要否、部数、有効期限等の印刷に関する書式を含む出力形式を示す形式情報を、会議、保管形式、報告書等のイベントを示す索引情報に対応付けて形式情報データベースに記録しておく。そして要求装置を使用する使用者は、要求装置から出力装置へ出力データを送らせると共に、索引情報を指定することで、出力装置は、指定された索引情報により示される出力形式で出力データに基づく出力を実行する。
【００２４】
この構成により、本発明では、イベントとして示される索引情報を指定するだけで、統一された書式に容易に設定することができるので作業性が向上する等、優れた効果を奏する。しかも出力形式は、イベントに対応付けて記録されているため、イベントに関する使用者各人が書式の設定を行う必要が無いので、イベントに関する使用者各人の作業工数の増加を抑制するだけでなく、使用者各人に対して書式の通知をする必要も無くなるので、全体としての作業工数を低減することも可能である等、優れた効果を奏する。
【発明を実施するための最良の形態】
【００２５】
以下、本発明をその実施をするための形態を示す図面に基づいて詳述する。図１は、本発明の出力システムの構成例を概念的に示す説明図である。図１中１は、ネットワークプリンタ等の本発明の出力装置であり、出力装置１は、ＬＡＮ等の通信網１００に接続されており、通信網１００には、出力装置１に対して出力の要求を行うパーソナルコンピュータ等の端末装置を用いた複数の要求装置２，２，…が接続されている。そして要求装置２を使用する使用者の操作により、要求装置２は、出力データ、例えば文書の内容を含むＰＳ、ＰＣＬ等の出力装置１が解釈可能なページ記述言語にて記述された印刷データを、出力装置１へ送信することで出力を要求し、出力装置１は、要求に応じて受信した出力データに基づく出力処理、即ち文書の印刷処理を実行する。
【００２６】
図２は、本発明の出力システムが備える各種装置の構成例を示すブロック図である。出力装置１は、装置全体を制御するＣＰＵ(Central Processing Unit) 等の制御手段１１、制御手段１１の制御により実行されるプログラム、データ等の各種情報を記録するハードディスク、ＲＡＭ(Random access memory)等の記録手段１２、印刷データに基づく画像を形成する画像形成手段１３、該画像形成手段１３により形成した画像を印刷用紙等の出力媒体に印刷して出力する印刷手段１４、用紙トレイ等の媒体供給手段１５、使用者からの操作を受け付けるタッチパネル、押釦等の操作受付手段１６、液晶パネル等の表示手段１７、通信網１００に接続する通信手段１８を備えている。なお記録手段１２の記録領域の一部は、出力形式を示す形式情報を、索引情報に対応付けて記録する形式情報データベース（形式情報ＤＢ）１２ａとして用いられる。
【００２７】
要求装置２は、制御手段２１、記録手段２２、マウス、キーボード等の入力手段２３、モニタ等の表示手段２４、及び通信手段２５を備えている。記録手段２２に記録されているプログラムとしては、基本ソフトウェア(Operating System)、文書を作成するためのワードプロセッサソフトウェア等の応用ソフトウェア、出力装置１等の周辺機器の制御及び操作に用いるドライバプログラム等の様々なプログラムが記録されている。
【００２８】
図３は、本発明の出力装置１が備える形式情報データベース１２ａの記録内容の例を概念的に示す説明図である。形式情報データベース１２ａには、イベントを示す索引情報に対応付けて、印刷に関する書式等の出力形式を示す複数の形式情報、及び有効期間を示す有効期間情報が記録されている。イベントとは、会議、保管形式、報告書等の複数の使用者に関連する事項についての項目であり、「２００５年１月企画会議」、「ファイル保管」、「通達」等のイベントを示すデータが記録されている。なお標準とは、イベントが指定されなかった場合のデフォルト設定を示す。
【００２９】
形式情報としては、用紙サイズ、印刷色、両面、Ｎ−ｕｐ、ウォーターマーク及び部数を示す項目が設定されている。用紙サイズの項目には、「Ａ４」、「Ｂ５」等の用紙の規格を示すデータが記録されている。印刷色の項目には、「フルカラー」、「白黒」等の印刷に用いる色を示すデータが記録されている。両面の項目には、「有効」、「無効」等の両面印刷の実行の有無を示すデータが記録されている。Ｎ−ｕｐの項目には、「２ｕｐ」、「４ｕｐ」、「無効」等の複数の頁を一の頁上に印刷すべく編集するＮ−ｕｐ印刷の実行の有無及び実行する場合の設定を示すデータが記録されている。ウォーターマークの項目には、「極秘」、「社外秘」、「なし」等の背景となる透かしの要否及び透かしを入れる場合の文字を示すデータが記録されている。部数の項目には、「２０」、「１５」等の印刷する部数を示すデータが記録されている。なお各項目のデータに「ドライバに従う」と記載されている場合、要求装置２にて設定されることを示している。また形式情報として記録されている各データには、使用者による変更の可否が設定されている。
【００３０】
有効期間情報としては、開始日及び終了日について、日付又は無期限であることを示すデータが記録されている。
【００３１】
次に本発明の出力システムにて用いられる各種装置の処理について説明する。図４は、本発明の出力システムが備える出力装置１及び要求装置２の処理を示すフローチャートである。要求装置２を操作して文書を作成した使用者は、作成した文書の印刷を要求させる操作を行う。要求装置２は、制御手段２１の制御により、入力手段２３から操作を受け付け、通信手段２５から通信網１００を介して出力装置１へ、印刷データを送信する（Ｓ１０１）。
【００３２】
出力装置１は、制御手段１１の制御により、通信手段１８にて印刷データを受信し（Ｓ１０２）、形式情報データベース１２ａに記録されている索引情報の検索に要する検索条件の入力を要求する検索条件入力要求を、通信手段１８から通信網１００を介して要求装置２へ送信する（Ｓ１０３）。なおステップＳ１０２にて受信した印刷データは、記録手段１２に一時的に記録される。
【００３３】
要求装置２は、制御手段２１の制御により、通信手段２５にて検索条件入力要求を受信し（Ｓ１０４）、受信した検索条件入力要求に基づく画像を表示手段１７に表示する（Ｓ１０５）。
【００３４】
図５は、本発明の出力システムが備える要求装置２の表示手段１７に表示される画像を示す説明図である。図５は、検索条件入力要求に基づき表示された画像を示しており、上方には表題として検索条件入力との文言が示されている。表題の下方には、検索項目と示された検索キーとなる索引情報、形式情報及び有効期間情報の項目と、検索条件と示された入力欄とが対応付けて表示されている。検索キーとなる索引情報としてイベント名を示す項目が示されている。検索キーとなる形式情報として用紙サイズ、印刷色、両面、Ｎ−ｕｐ、ウォーターマーク及び部数を示す項目が示されている。さらに検索キーとなる有効期間情報として開始日及び終了日を示す項目が示されている。更に最下方には、戻ると示されたコマンド画像及び検索実行と示されたコマンド画像が表示されている。使用者は、入力手段２３を操作して、所望の入力欄に検索条件を入力し、検索実行と示されたコマンド画像を指示する入力操作を行うことにより、要求装置２は、検索処理を開始する。
【００３５】
フローチャートに戻り、要求装置２は、制御手段２１の制御により、入力手段２３から検索条件の入力を受け付け（Ｓ１０６）、受け付けた検索条件を、通信手段２５から通信網１００を介して出力装置１へ送信する（Ｓ１０７）。
【００３６】
出力装置１は、制御手段１１の制御により、通信手段１８にて検索条件を受け付け（受信し）（Ｓ１０８）、受け付けた検索条件に適合する索引情報が形式情報データベース１２ａに記録されているか否かを判定する（Ｓ１０９）。
【００３７】
ステップＳ１０９において、検索条件に適合する索引情報が形式情報データベース１２ａに記録されていないと判定した場合（Ｓ１０９：ＮＯ）、出力装置１は、制御手段１１の制御により、ステップＳ１０３へ戻り、検索条件入力要求を送信する以降の処理を繰り返す。
【００３８】
ステップＳ１０９において、検索条件に適合する索引情報が形式情報データベース１２ａに記録されていると判定した場合（Ｓ１０９：ＹＥＳ）、出力装置１は、制御手段１１の制御により、検索条件に適合する一又は複数の索引情報を形式情報データベース１２ａから抽出し（Ｓ１１０）、抽出した索引情報を、通信手段１８から通信網１００を介して要求装置２へ出力（送信）する（Ｓ１１１）。なおステップＳ１０３〜Ｓ１１０の検索処理については、必ずしも必要ではなく、例えば形式情報データベース１２ａに記録されている索引情報が少ない場合、全ての索引情報を形式情報データベース１２ａから抽出して送信する様にしても良い。
【００３９】
要求装置２は、制御手段２１の制御により、通信手段２５にて索引情報を受信し（Ｓ１１２）、受信した索引情報の出力順序を、記録している履歴に基づいて決定し（Ｓ１１３）、決定した出力順序に基づいて並べ替えた索引情報の一覧を示す画像を表示手段１７に表示する（Ｓ１１４）。表示手段１７に表示される索引情報は、使用者が所望する索引情報を指定するための一覧であり、記録している履歴とは、過去の索引情報の指定の履歴である。
【００４０】
図６は、本発明の出力システムが備える要求装置２の表示手段１７に表示される画像を示す説明図である。図６は、索引情報の一覧を示す画像を示しており、中央付近には、イベント名という表題と共に索引情報の一覧が表示されている。一覧として示されている索引情報は、履歴に基づき決定された出力順序で並べ替えられており、一覧の下方に示された戻る又は次へと示されたコマンド画像を指示する入力を行うことにより、前の順位又は次の順位の索引情報を出力させることができる。そして一覧として示された索引情報の中から所望する索引情報を指示する入力を行うことにより、画像上方に示された欄に指定された索引情報の名称（イベント名）が表示される。索引情報を指定後、画像下方に印刷設定参照として示されたコマンド画像を指示する入力を行うことにより、指定された索引情報に対応付けられている形式情報の一覧が表示され、表示された形式情報は、その設定を変更することが可能となる。また索引情報を指定後、画像下方に実行として示されたコマンド画像を指示する入力を行うことにより、索引情報の指定が完了し、取消として示されたコマンド画像を指示する入力を行うことにより、索引情報の指定が取り消される。
【００４１】
以降では、図６に示す画像から索引情報が指定された場合に実行される処理を説明する。フローチャートに戻り、要求装置２は、制御手段２１の制御により、入力手段２３から索引情報の指定を受け付け（Ｓ１１５）、受け付けた索引情報を、通信手段２５から通信網１００を介して出力装置１へ送信する（Ｓ１１６）。なお指定を受け付けた索引情報は履歴として記録手段２２に記録される。
【００４２】
出力装置１は、制御手段１１の制御により、通信手段１８にて索引情報を受け付け（受信し）（Ｓ１１７）、受け付けた索引情報に対応付けて記録されている形式情報を形式情報データベース１２ａから抽出し（Ｓ１１８）、抽出した形式情報にて示される出力形式で、印刷データに基づく画像が画像形成手段１３により形成され、形成された画像の出力（印刷）が印刷手段１４により実行される（Ｓ１１９）。なお出力される印刷データは、ステップＳ１０２にて受信し、記録手段１２に一時的に記録されていた印刷データである。
【００４３】
図７は、本発明の出力システムが備える要求装置２の表示手段１７に表示される画像を示す説明図である。図７は、図６に示す画像から索引情報が指定され、印刷設定参照として示されたコマンド画像を指示する入力が行われた場合に表示手段１７に表示される画像を示している。印刷設定参照として示されたコマンド画像を指示する入力が行われた場合、要求装置２は、出力装置１にアクセスして、出力装置１の形式情報データベース１２ａに索引情報に対応付けて記録されている形式情報を抽出し、図７に示す画像を表示させる。表示された画像の上方には、表題として印刷設定詳細情報との文言が示されており、その下方には、索引情報、形式情報及び有効期間情報の各項目と、夫々の項目に対応付けられたデータが記録されている。なお表示されている各項目には使用者による変更の可否が設定されており、変更可であるデータについては使用者の入力による変更が可能である。
【００４４】
次に形式情報のデータを使用者が変更した場合の処理について説明する。図８は、本発明の出力システムが備える出力装置１及び要求装置２の処理を示すフローチャートである。なお図８に示すフローチャートは、図７に示す画像から形式情報のデータを変更する処理を示しており、索引情報の一覧を示す画像を表示手段１７に表示するまでの処理は、図４のフローチャートのステップＳ１１４までの処理と同様であるので、図４のフローチャート及びその説明を参照するものとし、その説明を省略する。要求装置２は、制御手段２１の制御により、入力手段２３から索引情報の指定を受け付け（Ｓ２０１）、更に形式情報にて示される出力形式を変更する入力を受け付け（Ｓ２０２）、受け付けた索引情報と、出力形式の変更の内容を示す変更情報を、通信手段２５から通信網１００を介して出力装置１へ送信する（Ｓ２０３）。
【００４５】
出力装置１は、制御手段１１の制御により、通信手段１８にて索引情報及び変更情報を受信して受信した索引情報及び変更情報を受け付け（受信し）（Ｓ２０４）、受け付けた索引情報に対応付けて記録されている形式情報を形式情報データベース１２ａから抽出し（Ｓ２０５）、抽出した形式情報にて示される出力形式を、変更情報にて示す変更の内容に変更し（Ｓ２０６）、内容を変更した出力形式で、印刷データに基づく画像を画像形成手段１３により形成し、形成した画像の出力（印刷）を印刷手段１４により実行する（Ｓ２０７）。
【００４６】
なお形式情報の指定を、要求装置２ではなく、出力装置１に直接入力することも可能である。次に形式情報の指定を出力装置１に直接入力する形態について説明する。図９は、本発明の出力システムが備える出力装置１及び要求装置２の処理を示すフローチャートである。要求装置２は、制御手段２１の制御により、通信手段２５から通信網１００を介して出力装置１へ、印刷データを送信する（Ｓ３０１）。
【００４７】
出力装置１は、制御手段１１の制御により、通信手段１８にて印刷データを受信し（Ｓ３０２）、形式情報データベース１２ａから索引情報の一覧を抽出し（Ｓ３０３）、抽出した索引情報を表示手段１７から出力（表示）する（Ｓ３０４）。使用者は表示手段１７に表示された索引情報の中から所望する索引情報を指定する入力を行う。
【００４８】
出力装置１は、制御手段１１の制御により、操作受付手段１６から索引情報の指定を受付（Ｓ３０５）、受け付けた索引情報に対応付けて記録されている形式情報を形式情報データベース１２ａから抽出し（Ｓ３０６）、抽出した形式情報にて示される出力形式で、印刷データに基づく画像を画像形成手段１３により形成し、形成した画像の出力（印刷）を印刷手段１４により実行する（Ｓ３０７）。なお索引情報の指定を出力装置１にて直接受け付ける形態においても、検索処理を実行する様にしても良い。
【００４９】
前記実施の形態では、出力データが印刷データであり、印刷データに基づく出力として印刷を実行する形態を示したが、本発明はこれに限らず、出力データがファクシミリ用データであり、出力データに基づく出力としてファクシミリ送信を実行する等、様々な形態に展開することが可能である。
【図面の簡単な説明】
【００５０】
【図１】本発明の出力システムの構成例を概念的に示す説明図である。
【図２】本発明の出力システムが備える各種装置の構成例を示すブロック図である。
【図３】本発明の出力装置が備える形式情報データベースの記録内容の例を概念的に示す説明図である。
【図４】本発明の出力システムが備える出力装置及び要求装置の処理を示すフローチャートである。
【図５】本発明の出力システムが備える要求装置の表示手段に表示される画像を示す説明図である。
【図６】本発明の出力システムが備える要求装置の表示手段に表示される画像を示す説明図である。
【図７】本発明の出力システムが備える要求装置の表示手段に表示される画像を示す説明図である。
【図８】本発明の出力システムが備える出力装置及び要求装置の処理を示すフローチャートである。
【図９】本発明の出力システムが備える出力装置及び要求装置の処理を示すフローチャートである。
【符号の説明】
【００５１】
１  出力装置
１１  制御手段
１２  記録手段
１２ａ  形式情報データベース
１４  印刷手段
１６  操作受付手段
１７  表示手段
１８  通信手段
２  要求装置
２１  制御手段
２３  入力手段
２４  表示手段
２５  通信手段
２６  通信網
【図１】
2006344058.tif 000003
【図２】
2006344058.tif 000004
【図３】
2006344058.tif 000005
【図４】
2006344058.tif 000006
【図５】
2006344058.tif 000007
【図６】
2006344058.tif 000008
【図７】
2006344058.tif 000009
【図８】
2006344058.tif 000010
【図９】
2006344058.tif 000011